(57)【特許請求の範囲】
【請求項１】
竜頭が取り付けられる巻真と、
時計回路が搭載され、前記巻真と第１の接点により導通される時計回路基板と、
平面アンテナが搭載された平面アンテナ基板と、
を有するムーブメントを金属製の裏蓋を有するケースに収容してなる電波腕時計であって、
前記巻真の軸方向視において、前記巻真から前記時計回路基板を通り、前記ケースへと短絡する電気的経路及び前記平面アンテナが、前記第１の接点又は前記巻真を通る厚み方向に向く直線に対し一の側に配置され、前記時計回路が前記直線に対し他の側に配置される電波腕時計。
【請求項２】
前記ムーブメントを前記ケースに導通する第２の接点が、前記巻真の軸方向視において、前記直線に対し前記一の側に配置される請求項１に記載の電波腕時計。
【請求項３】
前記第２の接点は、平面視において、前記ムーブメントの中心より前記巻真に近い側に配置される請求項２に記載の電波腕時計。
【請求項４】
地板と、前記時計回路基板と、前記平面アンテナ基板と、前記第２の接点が設けられた金属板を貫通して固定する柱状部材を有し、
前記電気的経路は、前記柱状部材を通る請求項２又は３に記載の電波腕時計。
【請求項５】
前記ムーブメントは、平面視において前記平面アンテナと重なりあわず、前記巻真の軸方向視において厚み方向に前記平面アンテナと重なり合うように配置される電池を有する請求項１乃至４のいずれかに記載の電波腕時計。
【発明の詳細な説明】
【技術分野】
【０００１】
本発明は、電波腕時計に関する。
【背景技術】
【０００２】
電波腕時計を含む電子腕時計においては、ユーザが竜頭等の操作部材を操作した際に静電気による誤動作を起こす可能性がある。これを防止するために、電子腕時計の接地電位となる金属製のケースと操作部材を短絡することにより、静電気をケースへと速やかに逃がして、電子腕時計内部の時計回路への静電気の流入を防ぐことが知られている。
【０００３】
例えば、特許文献１には、操作部材である巻真に係合するクリックレバーを押圧する押圧手段を回路押さえ板に設け、かかる回路押さえ板の巻真に近い位置にケースに導通する導通部を設けた電子腕時計が記載されている。
【０００４】
また、特許文献２には、電波腕時計であって、静電気耐性を向上するため、時計回路部の電源端子を導電性バネで外装ケースや裏蓋に導通しているものが記載されている。かかる電波腕時計では、アンテナの受信特性への影響を低減するため、前記導電性バネは前記アンテナから所定長さ以上離して設置されるようになっている。
【先行技術文献】
【特許文献】
【０００５】
【特許文献１】特許第３６３００９８号公報
【特許文献２】特開２０１０−４８６０５号公報
【発明の概要】
【発明が解決しようとする課題】
【０００６】
一般的に電波時計が受信する電波は、標準電波と呼ばれる長波である。この標準電波の受信は、地理的な制限を受け、また、低周波の搬送波を用いているため受信に時間がかかる欠点があるため、ＧＰＳ（Ｇｌｏｂａｌ  Ｐｏｓｉｔｉｏｎｉｎｇ  Ｓｙｓｔｅｍ）に代表される全地球測位システムにおいて用いられる極超短波を受信する電波時計が提案されている。このような極超短波の受信には、長波の電波の受信に用いられるバーアンテナではなく、極超短波の入射方向に受信面を持つ形式のアンテナ、例えば、パッチアンテナ、チップアンテナあるいは板状逆Ｆアンテナ等の平面アンテナが用いられる。
【０００７】
このような極超短波を受信するための平面アンテナは、長波の受信に用いられていたバーアンテナに比して大きい。また、極超短波の受信時には高周波回路を動作させるため大きな電力が必要であり、搭載すべき電池も大型のものが必要となる。このように大型化した平面アンテナと電池を腕時計のケースに収めると、竜頭等の操作部材の取付機構（いわゆる、裏回り）に割ける空間が小さくなるため、上述の特許文献１のように、腕時計のムーブメントの裏側に配置される回路押さえ板を、巻真に係合するクリックレバーに直接短絡する構造を設けることは困難である。そのため、操作部材から流入した静電気を、時計回路が搭載された基板を経由してケースに放電しなければならないが、このようにすると静電気による誤動作を起こす可能性が高くなる。
【０００８】
本発明はかかる事情に鑑みてなされたものであり、その解決しようとする課題は、平面アンテナを備えた電波腕時計において、巻真から流入した静電気による誤動作を低減することである。
【課題を解決するための手段】
【０００９】
上記課題を解決するために、本発明に係る電波腕時計は、竜頭が取り付けられる巻真と、時計回路が搭載され、前記巻真と第１の接点により導通される時計回路基板と、平面アンテナが搭載された平面アンテナ基板と、を有するムーブメントを金属製の裏蓋を有するケースに収容してなる電波腕時計であって、前記巻真の軸方向視において、前記巻真から前記時計回路基板を通り、前記ケースへと短絡する電気的経路及び前記平面アンテナが、前記第１の接点又は前記巻真を通る厚み方向に向く直線に対し一の側に配置され、前記時計回路が前記直線に対し他の側に配置される。
【発明の効果】
【００１０】
上記本発明によれば、平面アンテナを備えた電波腕時計において、巻真から流入した静電気による誤動作を低減することができる。
【図面の簡単な説明】
【００１１】
【図１】本発明の第１の実施形態に係る電波腕時計を示す平面図である。
【図２】電波腕時計のケースの内部に収容されるムーブメントを裏側から見た平面図である。
【図３】ムーブメントの概略分解斜視図である。
【図４】巻真の軸方向視におけるムーブメントの部分断面図である。
【図５】巻真から時計回路基板を通り、裏蓋へと短絡する電気的経路を図４で示した断面図上に示した図である。
【図６】本発明の第２の実施形態において、巻真から時計回路基板を通り、裏蓋へと短絡する電気的経路を巻真の軸方向視におけるムーブメントの部分断面図上に示した図である。
【発明を実施するための形態】
【００１２】
以下、本発明の実施形態について図面に基づき詳細に説明する。
【００１３】
図１は、本発明の第１の実施形態に係る電波腕時計１００を示す平面図である。同図には、電波腕時計１００のケース(外装)を構成する胴１、胴１内に配置された文字板２と時刻を示す指針である時針３、分針４、秒針５が示されている。また、胴１の３時側の側面にはユーザが種々の操作を行うための竜頭６、プッシュボタン７が配置されている。胴１の１２時側及び６時側の側面からは、バンドを固定するためのバンド固定部８が伸びている。
【００１４】
なお、同図に示した電波腕時計１００のデザインは一例である。ここで示したもの以外にも、例えば、胴１を丸型でなく角型にしてもよいし、プッシュボタン７の有無、数、配置は任意である。また、本実施形態では、指針を時針３、分針４、秒針５の３本としているが、これに限定されず、秒針５を省略しても、あるいは、曜日、タイムゾーンやサマータイムの有無、電波の受信状態や電池の残量、各種の表示を行う指針や、日付表示等を追加したりしてもよい。また、ケースは胴１と図１に表れない裏蓋９から構成されるが、胴１及び裏蓋９はその両方が金属製であってもよいし、胴１を金属以外の材質、例えばセラミック製として裏蓋９を金属製としてもよく、その逆としてもよい。いずれにせよ、ケースを構成する胴１と裏蓋９の少なくともいずれかは金属製である。
【００１５】
なお、本明細書では、前述の通り、電波腕時計という用語を、電波時計であって、かつ、腕時計であるものを指すものとして用いる。そして、本実施形態では、電波腕時計１００は、ＧＰＳ衛星などの日付や時刻に関する情報を含む衛星信号を送信する衛星から当該衛星信号を受信し、それに含まれる日付や時刻に関する情報、すなわち基準情報に基づき、腕時計内部に保持している時刻の情報である内部時刻を修正する機能を有している。但し、電波腕時計１００が受信する電波信号は、衛星信号に限らず、基準情報を含む信号であれば特に限定されない。ただし、後述する平面アンテナ１１により好適に受信される電波信号であることから、短波から極超短波の高周波信号であることが好ましい。
【００１６】
なお、電波腕時計１００では、文字板２を覆うようにガラス等の透明材料により形成された風防が胴１に取り付けられている。また、風防の反対側においては裏蓋９が胴１に取り付けられている。本明細書では、以降、電波腕時計１００の風防が配置される方向（図１における紙面手前方向）を表側、裏蓋９が配置される方向（図１における紙面奥方向）を裏側と呼ぶ。
【００１７】
文字板２の裏側には、電池１０及び平面アンテナ１１が、平面視において重なり合わないように配置されている。電池１０は本実施形態ではリチウム二次電池であり、文字板２の裏側に設けられた太陽電池により発電された電力を蓄積できるようになっている。そのため、文字板２は透明または半透明である。なお、電池１０の種類は特に限定されず、一次電池であってもよい。その場合には、太陽電池は設けられずともよいし、文字板２は透過性を有さなくともよい。また、本明細書では、前述の通り、平面アンテナという用語を電波信号の入射方向に受信面を持つ形式のアンテナを指すものとして用いている。本実施形態では、平面アンテナ１１はパッチアンテナであり、それにより受信される電波信号は、ＧＰＳ衛星からの衛星信号であり、極超短波である。平面アンテナ１１には、その厚み方向を貫くように給電ピン１１ｂが設けられ、表側を向く面が電波信号を受信する受信面１１ａとなっている。
【００１８】
なお、文字板２は胴１の表側の開口よりも広く、その周縁部を胴１が覆っている。このため、文字板２は、胴１の開口の輪郭線（見切り線）Ｘよりも内側の領域（露出領域）のみが風防を介して外部から見えるようになっており、輪郭線Ｘよりも外側の領域（非露出領域）は胴１により隠されて外部から見えない。
【００１９】
図２は、電波腕時計１００のケースの内部に収容されるムーブメント１０１を裏側から見た平面図である。ムーブメント１０１は、支持枠となるほぼ円形の絶縁性材料からなる地板１２に各部材を組みつけられた構成となっている。図２では、図中上方向にムーブメント１０１から飛び出すように竜頭６が取り付けられる巻真１３が見えている。従って、同図においては、上方向が図１における３時方向に相当し、右方向が１２時方向、左方向が６時方向となる。
【００２０】
図２では電池１０の正極にあたる面が見えており、電池１０を裏側から押えるように金属板１４が設けられている。金属板１４には電池押え部１４１が設けられており、電池１０の正極と接触し導通している。この正極の電位、すなわち金属板１４の電位が電波腕時計１００の接地電位となっている。電池押え部１４１はバネ弾性を有する舌状の突起であり、電池１０を地板１２側に押し付け固定する。また、同じくバネ弾性を有する舌状の突起である平面アンテナ基板接触部１４２が表側に向かって伸びており、金属板１４の表側に配置される平面アンテナ基板１５と接触し導通している。平面アンテナ基板接触部１４２が図示のように二か所設けられているのは、電気的接続を確実にするためである。さらに同様に、バネ弾性を有する舌状の突起である裏蓋接触部１４３及び１４４が裏側に向かって伸びている。裏蓋接触部１４３及び１４４は、ムーブメント１０１がケースに収容された際に、裏蓋に接触し導通することにより、ケースとムーブメント１０１を短絡し、ケースを接地電位とするための端子である。さらに、図２では、巻真１３に設けられた凹部と嵌合する金属製のおしどり１６、裏押え１７、第１のスイッチ戻しバネ１８及び第２のスイッチ戻しバネ１９が示されている。裏押え１７は、おしどり１６をバネ弾性により巻真１３に押し付けるとともに、巻真１３の姿勢が特定の位置となるよう付勢してその操作の際に適当なクリック感を与えるための金属製の弾性部材である。また、第１のスイッチ戻しバネ１８及び第２のスイッチ戻しバネ１９は、図１に示したプッシュボタン７の押圧操作により変形して時計回路基板（図２では見えない）上に形成された回路と接触し、かかる押圧操作を検出するための金属製の弾性部材である。第１のスイッチ戻しバネ１８及び第２のスイッチ戻しバネ１９は、その弾性により、押圧操作後のプッシュボタン７を規定の位置に押し戻す。裏押え１７、第１のスイッチ戻しバネ１８及び第２のスイッチ戻しバネ１９は本来金属板１４の表側に位置しているため見えないが、同図では破線によりその位置を示した。また、同図では、時計回路基板に実装されるコントローラ２０の位置も破線で示した。コントローラ２０は、ＩＣ（Ｉｎｔｅｇｒａｔｅｄ  Ｃｉｒｃｕｉｔ）等のチップ型集積回路であり、電波腕時計１００全体の動作を制御する制御回路が内蔵されているほか、電波腕時計１００が保持する時刻を計時する時計回路が組み込まれている。従って、時計回路基板には時計回路が搭載されていることになる。静電気による電波腕時計１００の誤動作、特に時刻のずれを防止するためには、この時計回路への静電気による影響を排除することが必要である。このことは、コントローラ２０に与える静電気の影響を低減することが重要であることを意味している。
【００２１】
図３は、ムーブメント１０１の概略分解斜視図である。図中上方向が裏側、下方向が表側を向く方向となっている。最下段に示されている円板が地板１２であり、図中奥側に巻真１３が見えている。その裏側には、時計回路基板２１が配置される。コントローラ２０は、図示の例では、時計回路基板２１の表側に実装される。また、時計回路基板２１の６時側の位置には矩形の切欠き２１１が設けられているが、これは、概略矩形の平面アンテナ１１を収容するためのものである。そして、時計回路基板２１の裏側には、平面アンテナ基板１５が配置される。平面アンテナ基板１５の表側の６時側の位置には平面アンテナ１１が、受信面１１ａが表側を向くように配置されている。また、平面アンテナ基板１５上には、平面アンテナ１１による受信のための高周波回路が搭載されている。平面アンテナ基板１５の１２時側の位置、すなわち、時計回路基板２１の切欠き２１１と反対側の位置には円形の切欠き１５１が設けられており、概略円形の電池１０を収容するようになっている。
【００２２】
電池１０の裏側には金属製のリード板２２が設けられており、リード板２２は、好ましくは、電池１０の裏側の面、この場合は負極に溶接され固定される。また、リード板２２からはバネ弾性を有する舌状の突起である時計回路基板接触部２２１が表側に向かって伸びており、時計回路基板２１と接触し導通している。時計回路基板接触部２２１もまた、電気的接続を確実にするため、図示のように二か所に設けられている。なお、ムーブメント１０１を作成するにあたり、電池１０を金属板１４及びリード板２２以外の部材から確実に絶縁し、またその位置を固定するために、電池１０と平面アンテナ基板１５との間に電池を支持する絶縁性の電池枠を設けてもよい。本実施形態においても、電池枠を設けることが好ましいが、図３では図示が煩雑になるのを避けるため、電池枠の図示は省略している。また、電池１０はここではいわゆるボタン型の電池として図示しているが、電池１０の形状は特段限定されるものではない。また、電池１０と前述の電池枠やリード板２２等の部材を一体不可分に組み合わせ、電池パッケージの形態で電池１０を用いるようにしてもよい。
【００２３】
さらに、電池１０の裏側に金属板１４が配置される。図３では、金属板１４から平面アンテナ基板接触部１４２が平面アンテナ基板１５に向かって表側に延び、裏蓋接触部１４３及び１４４が裏側に向かって伸びる様子が示されている。電池押え部１４１もまた示されている。
【００２４】
以上説明したムーブメント１０１を構成する各部材は、地板１２に設けられた穴に円柱形状の柱状部材２３を挿入し、ネジ２３１を締め込むことにより、地板１２と金属板１４に挟み込まれ固定される。図に表れない柱状部材２３の表側端部にはネジ２３１と同様の拡幅形状の頭が設けられており、地板１２の裏側に抜け落ちることはない。なお、本実施形態では、柱状部材２３及びネジ２３１は金属製であり、導電性を有している。また、柱状部材２３は、この例に示したムーブメント１０１では５本使用されているが、この数や配置は任意である。さらに、同図では、図示を簡明にする目的でネジ２３１を２本のみ示しているが、当然にネジ２３１は柱状部材２３と同数設けられる。
【００２５】
図４は、巻真１３の軸方向視におけるムーブメント１０１の部分断面図である。すなわち、紙面手前方向が３時方向であり、上方向が裏側、下方向が表側であり、右方向が６時方向、左方向が１２時方向に対応する。なお、図４は、特定平面による断面を示す図ではなく、巻真１３の軸方向視においてムーブメント１０１を構成する各部材の位置関係を示す模式的な断面図である。したがって、実際には図面の奥行き方向にオフセットして配置されている部材が図４では同一平面上に示されている場合がある。
【００２６】
同図を参照し、巻真１３から流入した静電気がムーブメント１０１と裏蓋との接点である第２の接点Ｂまで到達する電気的経路を以下説明する。
【００２７】
まず、巻真１３から流入した静電気は、巻真１３の凹部に嵌合するおしどり１６へと伝わり、さらに、おしどり１６を押圧する裏押え１７、さらにその裏側に設けられた第１のスイッチ戻しバネ１８へと流れる。第１のスイッチ戻しバネ１８には、裏側に向かって突き出すバネ弾性を有する舌片１８１が設けられており、第１の接点Ａにおいて、時計回路基板２１の表面に設けられたプリントパターンと導通している。時計回路基板２１の表面に設けられたプリントパターンは図中右方向、すなわち６時方向へと延び、第３の接点Ｃにより第２のスイッチ戻しバネ１９に設けられた裏側に向かって突き出すバネ弾性を有する舌片１９１と導通している。第２のスイッチ戻しバネ１９は、図中右側に示した柱状部材２３と接触しており、静電気は、この柱状部材２３を伝い金属板１４へと流れる。さらに、金属板１４に設けられた裏蓋接触部１４３と裏蓋との接触部である第２の接点Ｂを通ることにより、静電気は裏蓋に放出される。
【００２８】
図５は、以上説明した巻真１３から時計回路基板２１を通り、裏蓋へと短絡する電気的経路を図４で示した断面図上に示した図である。図中、かかる電気的経路は太破線による矢線で示した。この電気的経路は、図示されたように、第１の接点Ａを通り厚み方向に向く直線Ｄ（図中一点鎖線により示した）を考えると、かかる直線Ｄに対し一の側、この場合は６時方向である図中右側に配置されることになる。これに対し、コントローラ２０は、直線Ｄに対し他の側、この場合は１２時方向である図中左側に配置されることになる。この構成により、瞬間的な大電流となる静電気が、コントローラ２０の近傍、特に厚み方向においてコントローラ２０と重なり合う位置を通過しないので、コントローラ２０、ひいては時計回路への静電気の影響が抑制される。なお、このとき、平面アンテナ１１もまた、直線Ｄに対し一の側である図中右側に配置されている。これは、電池１０と平面アンテナ１１が大型であり厚みもあるため、この両者を平面視において重なり合わず、また、厚み方向においては同図に示すように互いに重なり合う位置に配置するため、図３に示したように時計回路基板２１と平面アンテナ基板１５の互いに反対側の位置に切欠き２１１及び１５１を設け、それぞれに平面アンテナ１１及び電池１０を収容したことによるものである。したがって、静電気が通過する電気的経路は平面アンテナ１１の近傍を通過することとなる。そのため、受信への影響が懸念されるが、平面アンテナ１１による受信は常時行われるわけではなく、また受信に失敗した際に再度受信を試みることも容易であるため、実用上の問題は生じない。また、平面アンテナ１１は、長波受信用のバーアンテナと異なり、受信面１１ａの直上及びその近傍に導電性の部材が配置されなければ、その受信性能に影響はほとんどないため、かかる電気的経路を平面アンテナ１１の近傍であって、受信面１１ａより裏側となる位置に設けることは何ら差し支えない。さらに、ムーブメント１０１を裏蓋に短絡する第２の接点Ｂの位置もまた、直線Ｄに対し一の側である図中右側に配置されている。これにより、金属板１４へと流入した静電気が金属板１４の面内でコントローラ２０の厚み方向に重なり合う位置あるいはその近傍へと流れることがない。
【００２９】
なお、本実施形態では、かかる電気的経路が、地板１２と、時計回路基板２１と、金属板１４を貫通して固定する柱状部材２３を経由するものとなっている。これにより、電気的経路の長さが短縮され、その全体の電気抵抗が小さいものとなる。
【００３０】
なお、巻真１３から裏蓋へと導通する電気的経路は、上述したものが唯一のものではなく、時計回路基板２１や平面アンテナ基板１５、あるいはその他の部材を通過する他の経路が存在しうる。このとき、巻真１３から流入した静電気のできるだけ大きな割合を前述した電気的経路を経由することにより裏蓋へと逃がすためには、かかる電気的経路の経路長をできるだけ短くし、その電気抵抗を小さいものとすることが有効である。
【００３１】
そこで、第２の接点Ｂ、すなわち、裏蓋接触部１４３の位置は、図５に示す直線Ｄに対し一の側である図中右側とするだけでなく、図２に示すように、平面視においても、ムーブメント１０１の中心より巻真１３に近い側に設けることが好ましい。このようにすることで、巻真１３より流入した静電気を裏蓋へと逃がす電気的経路を短く電気抵抗の小さいものとすることができる。なお、図２において、金属板１４には裏蓋接触部１４３とは別に裏蓋接触部１４４が設けられており、２か所において裏蓋と接触するようになされている。裏蓋接触部１４４は、巻真１３から流入した静電気を裏蓋へと逃がす際には積極的には寄与しないが、裏蓋と金属板１４とを確実に同電位とする役割を担っている。
【００３２】
続いて本発明の第２の実施形態に係る電波腕時計１００を図面を参照しつつ説明する。本実施形態を説明するにあたり、先の実施形態と同一若しくは機能・構成が対応する部材には同符号を付し、その説明は先の実施形態における説明をもって援用することとし、重複する説明は省略する。
【００３３】
図６は、本実施形態において、巻真１３から時計回路基板２１を通り、裏蓋へと短絡する電気的経路を巻真１３の軸方向視におけるムーブメント１０１の部分断面図上に示した図である。本図は、先の実施形態における図５に対応する図である。
【００３４】
本実施形態では、図６に示すように、おしどり１６、裏押え１７及び、第１のスイッチ戻しバネ１８の舌片１８１の配置が巻真１３の位置に対して逆に設けられている。このようにすると、巻真１３から時計回路基板２１を通り、裏蓋へと短絡する電気的経路は、巻真１３からおしどり１６、そして図中右方向である６時方向へ向かい裏押え１７、第１のスイッチ戻しバネ１８を経由し、舌片１８１と時計回路基板２１とを導通する第１の接点Ａを通り時計回路基板２１へと順にのび、さらに、舌片１９１と時計回路基板２１とを導通する第３の接点Ｃを通り第２のスイッチ戻しバネ１９、柱状部材２３を通り金属板１４へと導通し、裏蓋接触部１４３から第２の接点Ｂにより裏蓋へとつながる。かかる電気的経路を、図中太破線による矢線で示した。このような電気的経路では、第１の接点Ａが巻真１３の位置よりもよりコントローラ２０から遠く、平面アンテナ側の位置となるため、巻真１３より流入した静電気がコントローラ２０の近傍を流れることがなく、先の実施形態よりさらに静電気耐性が向上する。この実施形態での電気的経路においては、巻真１３の軸方向視において、巻真１３の位置が最もコントローラ２０に近い位置となる。従って、かかる電気的経路は、巻真１３を通り厚み方向に向く直線Ｅ（図中一点鎖線により示した）を考えると、かかる直線Ｅに対し一の側、この場合は６時方向である図中右側に配置されることになる。そして、コントローラ２０は、直線Ｅに対し他の側、この場合は１２時方向である図中左側に配置され、平面アンテナ１１は、直線Ｅに対し一の側である図中右側に配置されることとなる。その他の点、例えば、第２の接点Ｂが直線Ｅに対し一の側である図中右側に配置される点、第２の接点Ｂが図２に示すように平面視において、ムーブメント１０１の中心より巻真１３に近い側に配置される点、かかる電気的経路が柱状部材２３を通る点、及び、電池１０と平面アンテナ１１が平面視において重なりあわず、厚み方向において重なり合うように配置される点は、先の実施形態と同様である。
【００３５】
以上説明した実施形態に示した具体的な構成は例示であり、当業者は種々の変形を行ってもよい。例えば、各部材あるいはその部分の形状や数は適宜変更してもよく、図示したものと同一であることを要さない。例えば、上述の第１及び第２の実施形態においては、裏蓋接触部１４３により第２の接点Ｂが形成されているが、金属板１４とケースとの導通は必ずしも裏蓋に対してなされずともよく、胴１に対して第２の接点Ｂが形成されるようにしてもよい。
【００３６】
なお、以上説明した本発明の実施形態の一つの観点においては、ムーブメントをケースに導通する第２の接点が、前記巻真の軸方向視において、前記直線に対し前記一の側に配置される。これにより、巻真より流入した静電気がケースに逃げる際の誤動作の発生を低減できる。
【００３７】
また、本発明の実施形態の別の観点においては、第２の接点は、平面視において、ムーブメントの中心より巻真に近い側に配置される。これにより、巻真より流入した静電気がケースに逃げる際の誤動作の発生をより一層低減できる。
【００３８】
また、本発明の実施形態の別の観点においては、地板と、時計回路基板と、平面アンテナ基板と、第２の接点が設けられた金属板を貫通して固定する柱状部材を有し、電気的経路は、前記柱状部材を通る。このようにすれば、電気的経路を短くしその電気抵抗を抑制することができる。
【００３９】
また、本発明の実施形態の別の観点においては、ムーブメントは、平面視において平面アンテナと重なりあわず、巻真の軸方向視において厚み方向に前記平面アンテナと重なり合うように配置される電池を有する。このようにすれば、大型の電池及び平面アンテナをコンパクトなケースに収容できる。
【符号の説明】
【００４０】
１  胴、２  文字板、３  時針、４  分針、５  秒針、６  竜頭、７  プッシュボタン、８  バンド固定部、９  裏蓋、１０  電池、１１  平面アンテナ、１１ａ  受信面、１１ｂ  給電ピン、１２  地板、１３  巻真、１４  金属板、１５  平面アンテナ基板、１６  おしどり、１７  裏押え、１８  第１のスイッチ戻しバネ、１９  第２のスイッチ戻しバネ、２０  コントローラ、２１  時計回路基板、２２  リード板、２３  柱状部材、１００  電波腕時計、１０１  ムーブメント、１４１  電池押え部、１４２  平面アンテナ基板接触部、１４３，１４４  裏蓋接触部、１５１  切欠き、１８１  舌片、１９１  舌片、２１１  切欠き、２２１  時計回路基板接触部、２３１  ネジ。
【図１】
0005715527.tif 000002
【図２】
0005715527.tif 000003
【図３】
0005715527.tif 000004
【図４】
0005715527.tif 000005
【図５】
0005715527.tif 000006
【図６】
0005715527.tif 000007